(57)【特許請求の範囲】
【請求項１】
複数の送信局と複数の受信局からなり、それら各送信局からその受信局の方向、またはそれら各送信局から他の送信局の方向に、１つの放送チャネルまたは複数の放送チャネルにより片方向に接続された通信システムにおいて、前記各送信局に設けられ、それら複数の送信局が一意に割り当てられた送信局識別子を持ち、それら各送信局が各局送信局識別子、各送信局の送信時間、各放送チャネル識別子からなり、予め外部入力により設定、あるいは受信局からの送信要求により計測した要求数および同報性により設定、あるいは送信異常を起こした送信局を割り当て対象としないことにより生成する送信権相対表の割り当てを行い、その送信権相対表を制御できるのが現在送信権を割り当てられている送信局であることを識別する送信権制御手段と、外部入力インタフェースを通じて入力された主データおよびその主データのデータ内容を表現した内容情報を保持する主データ蓄積制御手段と、前記主データ蓄積制御手段に保持された内容情報に対して、上記送信局識別子に応じて内容情報識別子を一意に割り当て放送情報として生成する放送情報制御手段と、前記放送チャネル毎の主データにそれぞれ同一の前記送信権相対表と前記放送情報を所定周期によって周期的に多重化して送信する制御情報多重手段と、前記送信権相対表により送信権を割り当てられたことを識別し、その送信権相対表により割り当てられた時間に、前記制御情報多重手段から送られてくるデータを、割り当てられた放送チャネルで送信するデータ送信制御手段と、前記各受信局および前記各送信局に設けられ、任意の放送チャネルを受信するデータ受信制御手段と、前記データ受信制御手段により受信したデータから前記主データと前記送信権相対表と前記放送情報を分離する受信データ分離手段とを備え、前記送信権制御手段は、前記受信データ分離手段から送信権相対表を抽出保持し、送信権制御あるいは送信権相対表の更新に用いることを特徴とする通信システム。
【請求項２】
各送信局に設けられ、複数の放送チャネルを受信するデータ受信制御手段と、前記データ受信制御手段により受信した受信データから受信データ分離手段によって送信権相対表を抽出し、自送信局で保持する送信権相対表との差分を抽出して、自送信局で保持する送信権相対表に、前記差分を追加し更新する送信権制御手段とを備えたことを特徴とする請求項１記載の通信システム。
【請求項３】
各送信局に設けられ、受信データ分離手段によって放送情報を抽出し、自送信局で保持する放送情報との差分を抽出して、自送信局で保持する放送情報に、前記差分を追加し更新する放送情報制御手段を備えたことを特徴とする請求項１または請求項２記載の通信システム。
【請求項４】
各受信局と放送チャネル受信設備を持たない複数の受信端末とが地上回線網により接続された通信システムにおいて、前記受信局に設けられ、受信データ分離手段によって抽出した主データを前記地上回線網に送信する端末データ送信手段と、前記受信端末に設けられ、前記端末データ送信手段から前記地上回線網を通じて送信される主データを取得する端末受信処理手段とを備えたことを特徴とする請求項１または請求項３記載の通信システム。
【請求項５】
各受信局と放送チャネル受信設備を持たない複数の受信端末とが地上回線網により接続し、各受信端末に一意に受信端末識別子を割り当てた通信システムにおいて、前記受信端末に設けられ、前記端末データ送信手段から前記地上回線網を通じて送信される放送情報を取得する放送情報取得手段と、前記放送情報から所望データと割り当てられた受信端末識別子に応じて所望データ送信要求を生成して前記受信局に送信し、その受信局から所望の応答データを取得する所望データ取得手段とを備えたことを特徴とする請求項４記載の通信システム。
【請求項６】
受信局に設けられ、送信局から送られてきたデータを一定時間保持する受信データ保持制御手段と、受信端末からの所望データ送信要求を受信し、所望データが前記受信データ保持制御手段に存在する時、その受信データ保持制御手段から抽出後、前記要求元の受信端末に転送する端末データ送信手段とを備えたことを特徴とする請求項５記載の通信システム。
【請求項７】
各送信局と複数の受信局が地上回線網により接続され、それら受信局に一意に割り当てられた受信局識別子を持ち、かつそれら各送信局を地上回線網により接続した通信システムにおいて、前記各受信局に設けられ、前記受信端末の発呼した所望のデータ送信要求が前記受信データ保持制御手段にない場合に、所定の送信局に対しその所望のデータ送信要求を転送する端末データ送信手段と、前記各送信局に設けられ、送信権制御手段によって抽出した送信権保持送信局に対し、前記端末データ送信手段からの所望データ送信要求を転送するデータ送信要求転送手段と、前記送信権保持送信局が前記所望データ送信要求を受信し、内容情報識別子と共に送信局識別子を取り出し、主データを保持する送信局に対し、地上回線網によって主データ送信要求を発呼し、主データを受信後に制御情報多重手段に対して送信する主データ蓄積制御手段とを備えたことを特徴とする請求項６記載の通信システム。
【請求項８】
受信局に設けられ、所定の一定時間内に到着した所望のデータ送信要求を発呼した受信端末識別子と所望データの放送チャネル識別子、放送情報の内容情報識別子、要求数からなる受信局要求計測データを生成する受信局要求計測制御手段と、前記受信局要求計測制御手段により生成された受信局要求計測データに応じて送信頻度の高い情報を所定一定時間以上保持する受信データ保持制御手段とを備えたことを特徴とする請求項６または請求項７記載の通信システム。
【請求項９】
受信局に設けられ、受信局要求計測データと自受信局識別子を付加して受信局計測データを生成し、地上回線網により接続された１局の送信局に対し、受信局計測データを所定の時間間隔で周期的に送信する受信局要求計測制御手段と、各送信局に設けられ、前記複数の受信局から送られてくる受信局毎の受信局計測データを受信し、これら放送チャネル毎の受信局計測データに送信局識別子を付加させて送信局計測データを生成し、各放送チャネル毎の送信権保持送信局に対し、送信局計測データを所定の時間間隔で周期的に送信する送信局計測制御手段と、現在送信権を持つ各放送チャネル毎の送信権保持送信局を抽出すると共に、前記各放送チャネル毎の各送信権保持送信局が前記各送信局の前記送信局計測データを受信し、前記送信局計測データから内容情報識別子と要求数を抽出し、前記数値から要求頻度の高い主データを持つ送信局に優先的に送信権を割り当てるように送信権相対表制御を行う送信権制御手段とを備えたことを特徴とする請求項８記載の通信システム。
【請求項１０】
送信局に設けられ、複数の受信局から各受信局計測データを受信し、各計測データの内容識別子が他の計測データの内容識別子と同一で、かつ受信局識別子が異なる内容識別子に対し、同報性があると判断して、送信局計測データの各内容識別子に対し、同報性識別子を付加して、送信局計測データを生成する送信局計測制御手段と、前記送信局計測制御手段から送信局計測データを受信し、各内容識別子に同報性識別があるものに対し、その内容識別子からデータを保持する送信局識別子を抽出して、その送信局に対し優先的に送信権割り当てを行う送信権制御手段とを備えたことを特徴とする請求項９記載の通信システム。
【請求項１１】
各送信局に設けられ、送信権保持送信局の場合に、送信権相対表の各放送チャネル識別子に対し、１つのマスター送信局識別子と１つのスレーブ送信局識別子を割り当てる送信権制御手段と、受信データ分離手段により受信データから送信権相対表を分離し、送信権相対表のマスター送信局識別子が自送信局の送信局識別子であることを抽出し、マスター送信局として、割り当てられた時間と放送チャネルによって送信制御を行うと共に、前記送信権相対表のスレーブ送信局識別子が自送信局の送信局識別子であることを抽出し、スレーブ送信局として送信待機状態を保ち、データ受信制御手段によりマスター送信局が送信異常である場合に割り当てられた時間と放送チャネルで送信制御を行うデータ送信制御手段を備えたことを特徴とする請求項９または請求項１０記載の通信システム。
【請求項１２】
各送信局に設けられ、スレーブ送信局である場合に、マスター送信局から所定一定時間以上の間に放送データを受信できず、他の送信権を持たない１局以上の送信局に対し、地上回線網により受信確認要求を送信し、受信確認要求に対する応答を受信し、その応答のうち受信不可状態の応答が所定数以上存在する場合にマスター送信局または放送チャネル異常と判断し、逆に受信不可状態応答が所定数以下の存在の場合に自スレーブ局が異常であると判断するデータ送信制御手段と、送信権を持たない送信局である場合に、受信確認要求を受信し、放送チャネルを受信できているかどうかを判断し応答する受信データ分離手段とを備えたことを特徴とする請求項１１記載の通信システム。
【請求項１３】
各送信局に設けられ、スレーブ送信局の場合に、データ送信手段によって自スレーブ局異常と判断した場合に、マスター送信局に対し、スレーブ送信権放棄要求を通知するデータ送信制御手段と、マスター送信局の場合に、スレーブ送信権放棄要求を受信し、送信権のない他の送信局からスレーブ送信権を割り当て、送信権相対表を更新し、変更通知を行う送信権制御手段と、前記送信権制御手段によって更新された送信権相対表を主データと多重して送信する制御情報多重手段とを備えたことを特徴とする請求項１２記載の通信システム。
【請求項１４】
各送信局に設けられ、マスター送信局の場合に、所定一定周期でスレーブ送信局および任意の１局以上の送信局に対し、放送データを受信できているか否かを確認応答要求を送信して受信確認応答を受信して判断し、受信不可状態応答が所定数以上であった場合に自マスター送信局が異常であると判断して送信を停止してスレーブ送信局に対しマスター送信権放棄を通知し、スレーブ送信局の場合に、マスター送信権放棄要求を受信し自スレーブ送信局が送信を開始するデータ送信制御手段と、前記スレーブ送信局または送信権を持たない送信局の場合に、受信確認応答要求を受信し、放送データを受信しているかどうかチェックし応答する受信データ分離手段と、自スレーブ送信局がマスター送信局として動作し、任意の送信権を持たない送信局から１局の送信局にスレーブ送信権を割り当て、送信権相対表を更新し、制御情報多重手段に対し送信権相対表更新を通知する送信権制御手段とを備えたことを特徴とする請求項１１から請求項１３のうちのいずれか１項記載の通信システム。
【請求項１５】
各送信局に設けられ、マスター送信局またはスレーブ送信局であった場合に、スレーブ送信権放棄要求またはマスター送信権放棄要求を発呼した送信局を、送信権の割り当てる送信局候補から除外し、除外送信局リセット要求を外部入力によって受信するまで送信権割り当て送信局候補から除外する送信権制御手段を備えたことを特徴とする請求項１３または請求項１４記載の通信システム。
【請求項１６】
各送信局に設けられ、送信権保持送信局である場合に、各送信権無し送信局から送信される送信局計測データが所定時間以上受信されない時、送信局異常と判断し、送信権割り当て送信局リストの候補から削除する送信権制御手段を備えたことを特徴とする請求項１１から請求項１５のうちのいずれか１項記載の通信システム。
【発明の詳細な説明】
【０００１】
【発明の属する技術分野】
この発明は、放送と双方向性を持つ地上回線から構成される通信システムに関するものである。
【０００２】
【従来の技術】
図９は例えば特開平９−１３９７０２号公報に示された従来の衛星通信システムの回線制御装置を示す構成図であり、図において、１は通信衛星、２は送信局、３はシステム制御局、４は受信局である。
また、送信局２において、２ａは送信要求を送信する送信要求送信手段、２ｂは自送信局が回線を割り当てられた場合にその回線を介して不特定多数の受信局４に主情報を送信する主情報送信手段である。また、システム制御局３において、３ａは送信要求送信手段２ａからの送信要求に応じて回線割り当てを行う回線割当手段、３ｂは回線の割り当てが行われている送信局２のリストを各受信局４に送信する送信局リスト送信手段、３ｃは受信要求に応じて、要求のあった受信局に被選択送信局の回線を通知する回線通知手段である。さらに、受信局４において、４ａは送信局リスト送信手段３ｂから送られた送信局リストを基に特定の送信局を選択して、システム制御局３にその送信局の受信要求を送信する受信要求送信手段、４ｂは自受信局に回線通知手段３ｃから回線が通知された場合にその回線に従い、主情報送信手段２ｂからの主情報を受信する主情報受信手段である。
【０００３】
次に動作について説明する。
送信局２は、送信要求送信手段２ａにより回線ｆ２を使用して送信要求をシステム制御局３に送信する。その送信要求を受信したシステム制御局３は、回線割当手段３ａによりその送信局２に回線割り当てを行う。また、送信局リスト送信手段３ｂにより、回線割り当てが行われている送信局リストを作成して、回線ｆ３を使用して、各受信局４に送信する。送信局２は、主情報送信手段２ｂにより、その割り当てられた回線を介して不特定多数の受信局４に主情報を送信する。受信局４は、回線ｆ３を使用して受信した送信局リストを基に、受信要求送信手段４ａにより、特定の送信局を選択して、システム制御局３に回線ｆ２を使用してその送信局２の受信要求を送信する。システム制御局３は、受信要求に応じてその要求のあった受信局４に被選択送信局の回線を通知する。主情報受信手段４ｂは、通知された回線に従い、対応送信局２の主情報送信手段２ｂからの送信主情報を受信する。
【０００４】
また、この従来の技術によれば、送信局リストに回線割り当て情報を含ませ、送信局リスト送信手段３ｂによって、回線ｆ３を使用し、不特定多数の受信局４に送信する。受信局４は、送信局リストを基に、特定の送信局２に割り当てられている回線を使用し、主情報受信手段４ｂによって、対応送信局２の主情報送信手段２ｂからの送信主情報を受信する。
【０００５】
【発明が解決しようとする課題】
従来の衛星通信システムの回線制御装置は以上のように構成されているので、全ての送信局２、システム制御局３、および受信局４において、いずれかの局要求がその局から発呼された時に気象条件などの回線障害が発生した場合に、システム制御局３に到達しない場合があり、逆にシステム制御局３からの送信局リストの配信も同様に回線障害により要求発呼元に到着しない可能性があるなどの課題があった。
また、全ての回線制御をシステム制御局３により行っており、システム制御局３がダウンした時に、全てのシステムが停止するなどの課題があった。
さらに、システム制御局３への送信要求や受信要求に特定の専用回線を用いる必要が有り、また、逆にシステム制御局３からの送信局リストの配信にも同様に特定の専用回線を用いる必要が有り、各送信局２、各受信局４ともシステム制御局３との送受信に使用される特定の回線を確保しなければならないなどという課題があった。
さらに、受信局４において受信する時に、システム制御局３に相手送信局２の識別コードを入れて問い合わせなければ受信できないため、どの送信局２がどのような内容を送信するかという通信内容の識別を別な手段で認知しなければならないという課題があった。
【０００６】
この発明は上記のような課題を解決するためになされたもので、１つの放送チャネルを複数の送信局で時分割に共有し、また、制御情報の送受信のために専用放送チャネルを割り当てずに放送チャネルを有効利用する通信システムを得ることを目的とする。
また、この発明は１つの放送チャネルだけでなく、複数の放送チャネルも同様に複数の送信局で時分割に共有することにより複数放送チャネルの有効利用をする通信システムを得ることを目的とする。
さらに、この発明は送信権制御情報の送受信の際の一時的回線障害を回避する通信システムを得ることを目的とする。
さらに、この発明は受信する送信権制御情報のデータ正当性を確認できる通信システムを得ることを目的とする。
さらに、この発明は送信権割り当て制御がダウンしても全通信システムが停止しない通信システムを得ることを目的とする。
さらに、この発明は受信の利用状況によって送信権割り当てを最適にする通信システムを得ることを目的とする。
【０００７】
【課題を解決するための手段】
この発明に係る通信システムは、各送信局が送信権相対表の割り当てを行い、送信権相対表を制御できるのが現在送信権を割り当てられている送信局であることを識別する送信権制御手段と、主データ蓄積制御手段に保持された内容情報に対して、送信権相対表の送信局識別子に応じて内容情報識別子を一意に割り当て放送情報として生成する放送情報制御手段と、放送チャネル毎の主データに同一の送信権相対表と放送情報を所定周期によって周期的に多重化して送信する制御情報多重手段と、送信権相対表により送信権を割り当てられたことを識別し、その送信権相対表により割り当てられた時間に、制御情報多重手段から送られてくるデータを、割り当てられた放送チャネルで送信するデータ送信制御手段と、データ受信制御手段により受信したデータから主データと送信権相対表と放送情報を分離する受信データ分離手段とを備え、送信権制御手段は、受信データ分離手段から送信権相対表を抽出保持し、送信権制御あるいは送信権相対表の更新に用いるようにしたものである。
【０００８】
この発明に係る通信システムは、データ受信制御手段により受信した受信データから受信データ分離手段によって送信権相対表を抽出し、自送信局で保持する送信権相対表との差分を抽出して、自送信局で保持する送信権相対表に、差分を追加し更新する送信権制御手段を備えたものである。
【０００９】
この発明に係る通信システムは、受信データ分離手段によって放送情報を抽出し、自送信局で保持する放送情報との差分を抽出して、自送信局で保持する放送情報に、差分を追加し更新する放送情報制御手段を備えたものである。
【００１０】
この発明に係る通信システムは、受信データ分離手段によって抽出した主データを地上回線網に送信する端末データ送信手段と、端末データ送信手段から地上回線網を通じて送信される主データを取得する端末受信処理手段とを備えたものである。
【００１１】
この発明に係る通信システムは、端末データ送信手段から地上回線網を通じて送信される放送情報を取得する放送情報取得手段と、放送情報から所望データと割り当てられた受信端末識別子に応じて所望データ送信要求を生成して受信局に送信し、その受信局から所望の応答データを取得する所望データ取得手段とを備えたものである。
【００１２】
この発明に係る通信システムは、送信局から送られてきたデータを一定時間保持する受信データ保持制御手段と、受信端末からの所望データ送信要求を受信し、所望データが受信データ保持制御手段に存在する時、その受信データ保持制御手段から抽出後、要求元の受信端末に転送する端末データ送信手段とを備えたものである。
【００１３】
この発明に係る通信システムは、所望のデータ送信要求が受信データ保持制御手段にない場合に、所定の送信局に対しその所望のデータ送信要求を転送する端末データ送信手段と、送信権制御手段によって抽出した送信権保持送信局に対し、前記端末データ送信手段からの所望データ送信要求を転送するデータ送信要求転送手段と、送信権保持送信局が所望データ送信要求を受信し、内容情報識別子と共に送信局識別子を取り出し、主データを保持する送信局に対し、地上回線網によって主データ送信要求を発呼し、主データを受信後に制御情報多重手段に対して送信する主データ蓄積制御手段とを備えたものである。
【００１４】
この発明に係る通信システムは、所定の一定時間内に到着した所望のデータ送信要求を発呼した受信端末識別子と所望データの放送チャネル識別子、放送情報の内容情報識別子、要求数からなる受信局要求計測データを生成する受信局要求計測制御手段と、受信局要求計測制御手段により生成された受信局要求計測データに応じて送信頻度の高い情報を所定一定時間以上保持する受信データ保持制御手段とを備えたものである。
【００１５】
この発明に係る通信システムは、受信局要求計測データと自受信局識別子を付加して受信局計測データを生成し、地上回線網により接続された１局の送信局に対し、受信局計測データを所定の時間間隔で周期的に送信する受信局要求計測制御手段と、複数の受信局から送られてくる受信局毎の受信局計測データを受信し、放送チャネル毎の受信局計測データに送信局識別子を付加させて送信局計測データを生成し、各放送チャネル毎の送信権保持送信局に対し、送信局計測データを所定の時間間隔で周期的に送信する送信局計測制御手段と、現在送信権を持つ各放送チャネル毎の送信権保持送信局を抽出すると共に、各放送チャネル毎の各送信権保持送信局が各送信局の送信局計測データを受信し、送信局計測データから内容情報識別子と要求数を抽出し、数値から要求頻度の高い主データを持つ送信局に優先的に送信権を割り当てるように送信権相対表制御を行う送信権制御手段とを備えたものである。
【００１６】
この発明に係る通信システムは、複数の受信局から各受信局計測データを受信し、各計測データの内容識別子が他の計測データの内容識別子と同一で、かつ受信局識別子が異なる内容識別子に対し、同報性があると判断して、送信局計測データの各内容識別子に対し、同報性識別子を付加して、送信局計測データを生成する送信局計測制御手段と、送信局計測データに応じて各内容識別子に同報性識別があるものに対し、その内容識別子からデータを保持する送信局識別子を抽出して、その送信局に対し優先的に送信権割り当てを行う送信権制御手段とを備えたものである。
【００１７】
この発明に係る通信システムは、送信権保持送信局の場合に、送信権相対表の各放送チャネル識別子に対し、１つのマスター送信局識別子と１つのスレーブ送信局識別子を割り当てる送信権制御手段と、受信データ分離手段により受信データから送信権相対表を分離し、送信権相対表のマスター送信局識別子が自送信局の送信局識別子であることを抽出し、マスター送信局として、割り当てられた時間と放送チャネルによって送信制御を行うと共に、送信権相対表のスレーブ送信局識別子が自送信局の送信局識別子であることを抽出し、スレーブ送信局として送信待機状態を保ち、データ受信制御手段によりマスター送信局が送信異常である場合に割り当てられた時間と放送チャネルで送信制御を行うデータ送信制御手段を備えたものである。
【００１８】
この発明に係る通信システムは、スレーブ送信局である場合に、マスター送信局から所定一定時間以上に放送データを受信できず、他の送信権を持たない１局以上の送信局に対し、地上回線網により受信確認要求を送信し、受信確認要求に対する応答を受信し、その応答のうち受信不可状態の応答が所定数以上存在する場合にマスター送信局または放送チャネル異常と判断し、逆に受信不可状態応答が所定数以下の存在の場合に自スレーブ局が異常であると判断するデータ送信制御手段と、送信権を持たない送信局である場合に、受信確認要求を受信し、放送チャネルを受信できているかどうかを判断し応答する受信データ分離手段とを備えたものである。
【００１９】
この発明に係る通信システムは、スレーブ送信局の場合に、データ送信手段によって自スレーブ局異常と判断した場合に、マスター送信局に対し、スレーブ送信権放棄要求を通知するデータ送信制御手段と、マスター送信局の場合に、スレーブ送信権放棄要求を受信し、送信権のない他の送信局からスレーブ送信権を割り当て、送信権相対表を更新し、変更通知を行う送信権制御手段と、送信権制御手段によって更新された送信権相対表を主データと多重して送信する制御情報多重手段とを備えたものである。
【００２０】
この発明に係る通信システムは、マスター送信局の場合に、所定一定周期でスレーブ送信局および任意の１局以上の送信局に対し放送データを受信できているかどうかを確認応答要求を送信して受信確認応答を受信し受信不可状態応答が所定数以上であった場合に自マスター送信局が異常であると判断して送信を停止してスレーブ送信局に対しマスター送信権放棄を通知し、スレーブ送信局の場合に、マスター送信権放棄要求を受信し自スレーブ送信局が送信を開始するデータ送信制御手段と、スレーブ送信局または送信権を持たない送信局の場合に、受信確認応答要求を受信し、放送データを受信しているかどうかチェックし応答する受信データ分離手段と、自スレーブ送信局がマスター送信局として動作し、任意の送信権を持たない送信局から１局の送信局にスレーブ送信権を割り当て、送信権相対表を更新し、制御情報多重手段に対し送信権相対表更新を通知する送信権制御手段とを備えたものである。
【００２１】
この発明に係る通信システムは、マスター送信局またはスレーブ送信局であった場合に、スレーブ送信権放棄要求またはマスター送信権放棄要求を発呼した送信局を、送信権の割り当てる送信局候補から除外し、除外送信局リセット要求を外部入力によって受信するまで送信権割り当て送信局候補から除外する送信権制御手段を備えたものである。
【００２２】
この発明に係る通信システムは、送信権保持送信局である場合に、各送信権無し送信局から送信される送信局計測データが所定時間以上受信されない時、送信局異常と判断し、送信権割り当て送信局リストの候補から削除する送信権制御手段を備えたものである。
【００２３】
【発明の実施の形態】
以下、この発明の実施の一形態を説明する。
実施の形態１．
図１はこの発明の実施の形態１による通信システムを示す構成図であり、図において、１０は複数の放送チャネルを持つ通信衛星である。
２０は指定時刻に指定放送チャネルを用いて、送信内容を示す放送情報および時刻や放送チャネル、送信局を割り当てた送信権相対表を周期的に主データと共に時分割多重送信し、また、指定放送チャネル以外の放送チャネルを受信して送信権相対表および放送情報に統合化し、統合化以後、その統合化した送信権相対表および放送情報を多重化送信する送信権保持送信局（送信局）である。
３０は送信権保持送信局２０が送信した多重化送信データを受信し、分離し、送信権相対表および放送情報を取り出し、現在時刻において送信権を割り当てられていない送信権無し送信局（送信局）である。
４０は複数の送信権保持送信局２０から各放送チャネル毎に多重化送信データを受信し、分離し、送信権相対表および放送情報、主データを取り出し、送信権相対表および放送情報を常時更新および保持し、主データは所定一定時間保持または、要求頻度によって、所定一定時間以上保持し、また、地上回線網で接続された複数受信端末からの要求に従って、放送データの転送および蓄積したデータを送信し、また、受信端末の要求により放送情報を送信する受信局である。
５０は受信局４０と地上回線網により接続され、放送情報または所望主データ送信要求を受信局４０に送信し、受信局４０から放送情報または所望主データを受信し、表示する受信端末である。
６は送信権保持送信局２０からの送信に使用されると共に、受信局４０においての受信に使用される所定の送信帯域を持つ放送回線である放送チャネル、７は受信局４０と複数の受信端末５０を双方向接続する地上回線網、８は送信権保持送信局２０または送信権無し送信局３０への外部入力インタフェース、９は受信端末５０への外部入力インタフェースである。
【００２４】
また、送信権保持送信局２０、送信権無し送信局３０、および受信局４０において、２１は複数の送信権保持送信局２０から送信された多重化送信データを複数の放送チャネル６から受信するデータ受信制御手段、２２はデータ受信制御手段２１から出力された多重化受信データを送信権相対表および放送情報、主データに分離する受信データ分離手段である。
また、送信権保持送信局２０、および送信権無し送信局３０において、２３は後述する主データ蓄積制御手段２４から主データの内容情報を抽出し、また、送信局識別子から一意に決められる内容情報識別子を生成し、また、その内容情報から放送情報を生成し、後述する制御情報多重手段２６に送信し、また、受信データ分離手段２２により分離した他放送チャネルの放送情報を取り出し、生成した放送情報と統合化して制御情報多重手段２６に送信する放送情報制御手段である。２４は外部入力インタフェース８により入力された主データおよび内容情報を蓄積し、所定の時間に制御情報多重手段２６に送信する主データ蓄積制御手段である。
２５は送信権相対表の割り当て時間、および割り当て放送チャネルによって、制御情報多重手段２６から送られてくる多重化データを変調し、送信するデータ送信制御手段、２６は放送情報制御手段２３から取り出した放送情報と、後述する送信権制御手段２７から取り出した送信権相対表を周期的に主データ蓄積制御手段２４から取り出した主データに時分割多重する制御情報多重手段、２７は複数の送信局のうちの１つの送信局に対し、１つの放送チャネル、および送信時間を割り当て、これらを複数局に割り当てる送信権制御手段である。
【００２５】
さらに、受信局４０において、４１は受信端末５０と地上回線網７により接続され、受信端末５０からの要求を受信処理し、応答する端末データ送信手段、４２は受信データ分離手段２２により分離された放送情報を保持し、端末データ送信手段４１によって適宜取り出される放送情報保持制御手段である。４３は受信データ分離手段２２により分離された送信権相対表を保持し、端末データ送信手段４１によって適宜取り出される送信権相対表保持手段、４４は受信データ分離手段２２により分離された主データを所定の一定時間保持し、また、後述する受信局要求計測制御手段４６によって生成された要求頻度を取り出し、その数値から所定時間以上主データを保持する受信データ保持制御手段である。４５は受信局４０と地上回線網７により接続されている全ての受信端末５０の一意の識別子を保持し、端末データ送信手段４１によって適宜取り出される受信端末識別保持手段、４６は端末データ送信手段４１によって受信した所望の主データ送信要求を受け取り、また、受信端末識別保持手段４５から所望の主データ送信要求を送信した受信端末５０の受信端末識別子が存在するかどうかを調べ、また、所望の主データ送信要求から主データを識別する内容情報識別子を抽出し、内容情報識別子毎に要求数をカウントし、受信端末識別子を付けた受信局計測データを作成して保持し、受信データ保持制御手段４４に適宜、リストを送信する受信局要求計測制御手段である。
【００２６】
さらに、受信端末５０において、５１は受信局４０から放送情報を取得し、その放送情報から所望の主データの内容情報識別子と受信端末識別子を付けて、受信局４０に所望のデータ送信要求を送信し、所望の主データを受信する端末受信処理手段である。
【００２７】
図２はこの発明の実施の形態１による送信権保持送信局および送信権無し送信局の詳細な構成を示すブロック図であり、図において、２１は図１に示したデータ受信制御手段であり、２１１は送信権保持送信局２０が送信した各チャネルに周波数を合わせるチューナーを持ち、その放送チャネル６ｎを受信し、その受信した信号を送信する放送波受信制御部、２１２は放送波受信制御部２１１により受信した放送チャネル信号を復調して多重送信データを生成して送信するデータ出力制御部、２１３は送信権制御手段２７によって抽出された各放送チャネル設定要求を受信し、放送波受信制御部２１１に対し受信する放送チャネルを設定する制御要求処理部である。
また、２２は図１に示した受信データ分離手段であり、２２１はデータ出力制御部２１２から送信された多重送信データを受信し、送信権相対表、放送情報、主データを分離して送信する選択的情報分離部、２２２は選択的情報分離された送信権相対表を一時的に蓄積する送信権相対表用バッファ部、２２３は選択的情報分離された放送情報を一時的に蓄積する放送情報用バッファ部、２２４は選択的情報分離された主データを一時的に蓄積する主データ用バッファ部である。
さらに、２３は図１に示した放送情報制御手段であり、２３１は主データ蓄積制御手段２４から主データの内容情報を抽出して、その内容情報と送信局識別子から一意に割り当てられる内容情報識別子を生成し、送信権制御手段２７から自送信局に割り当てられた時間を抽出し、その内容情報と内容情報識別子、割り当て時間、内容情報に指定された送信時間から放送情報を生成し、また、受信データ分離手段２２の放送情報用バッファ部２２３から放送情報を取り出した自送信局に割り当てられた放送チャネル以外の放送情報と生成した放送情報とを統合化して全体の放送情報を生成するデータ生成部、２３２はデータ生成部２３１により生成された全体の放送情報を一時的に蓄積するデータバッファ部、２３３は制御情報多重手段２６に所定時間周期で送信するデータ出力部である。
【００２８】
さらに、２４は図１に示した主データ蓄積制御手段であり、２４１は外部からの送信主データと内容情報を入力するデータ入力部、２４２はデータ入力部２４１から受け取った情報を蓄積するデータ蓄積部、２４３は外部入力された内容情報に指定された送信時間と送信権制御部２７から自送信局に割り当てられた時間を抽出し、その時間から出力制御を行うデータ出力部である。
さらに、２５は図１に示したデータ送信制御手段であり、２５１は送信権制御手段２７から送られてくる送信制御要求を受信し、その要求から送信開始／停止時間を抽出して送信すると共に、その要求から割り当てられた放送チャネルを抽出して送信する制御要求処理部、２５２は制御要求処理部２５１により指定された送信開始時間、および停止時間に送信開始指示、および送信停止指示を行う時間制御部、２５３は時間制御部２５２からの送信開始指示により、制御情報多重手段２６から送信される多重送信データを入力し、変調し、生成した信号を送信し、また、時間制御部２５２からの送信停止指示により制御情報多重手段２６からの入力および信号の送信を停止するデータ入力制御部、２５４はデータ入力制御部２５３からの入力信号を制御要求処理部２５１により指定された放送チャネルに出力周波数をあわせて送信する放送波送信制御部である。
【００２９】
さらに、２６は図１に示した制御情報多重手段であり、２６１は主データ蓄積制御手段２４のデータ出力部２４３から送られてきた主データを多重処理するまで一時的に蓄積しておく主データ用バッファ部、２６２は放送情報制御手段２３のデータ出力部２３３から送られてきた放送情報を多重処理するまで一時的に蓄積しておく放送情報用バッファ部、２６３は送信権制御手段２７のデータ出力部２７７から送られてきた送信権相対表を多重処理するまで一時的に蓄積する送信権相対表用バッファ部、２６４は放送情報用バッファ部２６２により蓄積された放送情報、および送信権相対表用バッファ部２６３により蓄積された送信権相対表を、主データ用バッファ部２６１により蓄積された主データと時分割多重する時分割多重部である。
さらに、２７は図１に示した送信権制御手段であり、２７１は受信データ分離手段２２から送られてきた送信権相対表を受信する制御要求受信制御部、２７２は一意に割り当てられた全ての送信局の識別である送信局識別子を保持する送信局管理部、２７３は一意に割り当てられた全ての放送チャネルの周波数、帯域、放送チャネル識別子からなる放送チャネルリストを保持する放送チャネル管理部、２７４は送信局管理部２７２の送信局識別子毎に所定の時間を割り当てるタイムテーブル管理部、２７５は制御要求受信処理部２７１から受け取った要求に対し、送信局管理部２７２、放送チャネル管理部２７３、タイムテーブル管理部２７４に保持された送信局識別子、放送チャネルリスト、およびタイムテーブルに基づいて送信権相対表を生成したり、主データ蓄積制御手段２４のデータ出力部２４３または放送情報制御手段２３のデータ生成部２３１にデータ送信／停止要求を送信するデータ生成部、２７６はデータ生成部２７５により生成された送信権相対表を一時的に蓄積するデータバッファ部、２７７はデータバッファ部２７６に蓄積された送信権相対表を抽出し、所定の時間周期で制御情報多重手段２６の送信権相対表用バッファ部２６３に送信するデータ出力部である。
【００３０】
図３はこの発明の実施の形態１による受信局の詳細な構成を示すブロック図であり、図において、データ受信制御手段２１、および受信データ分離手段２２は図２と同じであるが、データ受信制御手段２１の制御要求処理部２１３のみ放送チャネル６ｎの指示が受信データ保持制御手段４４の要求処理部４４３から送られてくるところだけ異なる。
また、４１は図１に示した端末データ送信手段であり、４１１は地上回線網７により接続された受信端末５０からの要求を受信し、受信端末識別保持手段４５から受信端末識別子の存在有無を確認し、データ取得要求処理部４１２に送信し、その要求に対する応答を受信して、受信端末５０に送信し、また、受信局要求計測制御手段４６のデータ生成部４６１に要求を転送する要求受信処理部、４１２は要求受信処理部４１１から受け取った要求に従って、受信データ保持制御手段４４の要求処理部４４３および放送情報保持手段４２の要求処理部４２３、送信権相対表保持手段４３の要求処理部４３３に対しデータ要求を行い、応答されたデータを要求受信処理部４１１に送信するデータ取得要求処理部である。
さらに、４２は図１に示した放送情報保持制御手段であり、４２１は受信データ分離手段２２の放送情報用バッファ部２２３から放送情報を取り出し、放送情報蓄積部４２２の蓄積データと比較して差分が存在したら、更新要求と放送情報を送信し、放送情報蓄積部４２２に蓄積データを更新させる放送情報更新制御部、４２２は放送情報更新制御部４２１からの更新要求によって放送情報を一時的に蓄積する放送情報蓄積部、４２３はデータ取得要求処理部４１２からの要求に従って、放送情報蓄積部４２２から放送情報を取り出し、データ取得要求処理部４１２に応答する要求処理部である。
さらに、４３は図１に示した送信権相対表保持手段であり、４３１は受信データ分離手段２２の送信権相対表用バッファ部２２２の送信権相対表を取り出し、送信権相対表蓄積部４３２の蓄積データを比較して、差分が存在すれば、送信権相対表更新要求と送信権相対表を送信する送信権相対表更新制御部、４３２は送信権相対表更新制御部４３１からの送信される送信権相対表を一時蓄積する送信権相対表蓄積部、４３３は受信局要求計測制御手段４６のデータ管理部４６２からの要求、また、端末データ送信手段４１のデータ取得要求処理部４１２からの要求、受信データ保持制御手段４４の要求処理部４４３からの要求に従って、送信権相対表蓄積部４３２からデータを取り出し応答送信する要求処理部である。
【００３１】
さらに、４４は図１に示した受信データ保持制御手段であり、４４１は受信データ分離手段２２の主データ用バッファ部２２４にデータが存在したら取り出して受信データ蓄積部４４２に蓄積させる受信データ更新制御部、４４２は受信データ更新制御部４４１から送られてくる主データを蓄積し、また、蓄積データ管理部４４４の指示に従って削除する受信データ蓄積部、４４３はデータ取得要求処理部４１２からの主データ取得要求の内容情報識別子を、受信データ蓄積部４４２に蓄積されたデータから捜索し、存在したら取り出してデータ取得要求処理部４１２に応答送信し、存在しなければ、内容情報識別子から送信局識別子を取り出し、送信権相対表保持手段４３から送信権相対表を抽出し、その送信局識別子を持つ送信権保持送信局の割り当てられている放送チャネルを抽出して、データ受信制御手段２１の制御要求処理部２１３に放送チャネル設定要求を送信し、また、放送情報保持手段４２の要求処理部４２３に放送情報の内容情報識別子と内容情報を要求し、取得したら、蓄積データ管理部４４４に転送する要求処理部、４４４は受信データ蓄積部４４２に蓄積されたデータの蓄積された時間が所定時間を超えた場合に削除指示し、また、要求処理部４４３から受け取った内容情報識別子、および内容情報を管理し、受信局要求計測制御手段４６から計測データを取り出し、要求カウント数と内部カウント数から所定閾値を超えた場合、さらに超えた時間から所定時間分保持し、内部カウントを０に戻す蓄積データ管理部である。
さらに、４５は図１に示した受信端末識別保持手段であり、４５１は受信局４０に地上回線網７により接続されている全ての受信端末５０の受信端末識別子を保持するデータ管理部である。
さらに、４６は図１に示した受信局要求計測制御手段であり、４６１は要求受信処理部４１１から送られてくる所望の主データ要求から内容情報識別子と受信端末識別子を取り出し、リストを作成して送信するデータ生成部、４６２はデータ生成部４６１から送られてくる計測データを受信し、送信権相対表保持手段４３から送信局識別子、割り当て時間、および割り当て放送チャネルを取り出し、これらを基準にデータ生成部４６１からの計測データのリストを作成管理し、また同一内容情報識別子が送られてきた場合に要求数をカウントし、リストに加えるデータ管理部である。
【００３２】
図４はこの発明の実施の形態１の受信端末の詳細な構成を示すブロック図であり、図において、５１は図１に示した端末受信処理手段であり、５１１は自受信端末識別子を保持し、送信する受信端末設定部、５１２は放送情報取得要求を生成し、受信端末設定部５１１より自受信端末の受信端末識別子を付加して、受信局４０に対しその要求を送信して、受信局４０よりの応答で放送情報を取得する放送情報取得部、５１３は所望のデータ要求を生成し、受信端末設定部５１１より自受信端末の受信端末識別子を付加して受信局４０に対してその要求を送信し、受信局４０よりの応答データを取得する所望データ取得部である。
【００３３】
次に動作について説明する。
まず、送信権保持送信局２０および送信権無し送信局３０の動作について説明する。
最初に通信システムを動作させた時に、最初に送信権を保持する１局の送信権保持送信局２０には、送信する主データと内容情報を送信前に外部入力インタフェース８によりデータ入力部２４１に入力し、データ入力部２４１はデータ蓄積部２４２に順次蓄積する。一方、最初に予め１送信局の送信権保持時間と制御データの多重周期、および最初の送信開始時間をタイムテーブル管理部２７４のタイムテーブルに、また、全ての各送信局に一意に割り当てられた送信局識別子を送信局管理部２７２に、全ての放送チャネル識別子と使用周波数、帯域を放送チャネル管理部２７３にセットしておく。また、送信局各局にはそれぞれ一意に決められた送信局識別子を送信権制御手段２７の送信局管理部２７２に、最初に受信する１つの放送チャネル識別子と放送チャネル周波数を放送チャネル管理部２７３にセットしておく。
【００３４】
送信開始手順は、タイムテーブル管理部２７４では時刻管理をしており、送信権を割り当てられた時刻に到達すると、送信開始要求をデータ生成部２７５に通知する。そのデータ生成部２７５では、送信局管理部２７２から自送信局識別子を取り出し、放送チャネル管理部２７３から自送信局識別子と送信開始時間から送信権を与えられた放送チャネル識別子を抽出し、放送チャネルの周波数、および帯域を通知する。また、送信開始要求に加えてタイムテーブル管理部２７４にセットされた制御データの多重周期を取り出しこれを付加し、時分割多重部２６４に通知する。また、タイムテーブル管理部２７４から送信局に割り当てられた一定時間と送信局管理部２７２に設定されている全ての送信局識別子、放送チャネル管理部２７３に設定されている全ての放送チャネル識別子および放送チャネル周波数、帯域から、各送信局識別子に対し１つの送信開始時刻／終了時刻、１つの放送チャネル識別子および放送チャネル周波数、帯域を一意に割り当て、送信権相対表として生成し、データバッファ部２７６にセットし、送信開始時刻に達すると、データ出力部２７７から送信権相対表用バッファ部２６３に周期的にセットされる。
【００３５】
一方、データ生成部２７５は、送信終了時刻、放送チャネル周波数を含む送信開始要求をデータ出力部２７７に送信し、データ出力部２７７から制御要求処理部２５１に通知する。制御要求処理部２５１は送信開始要求を受信すると、その要求から終了時刻を取り出し、終了時刻を含む送信開始要求を時間制御部２５２に通知する。また、制御要求処理部２５１はその要求から放送チャネル周波数、帯域を取り出し、放送波送信制御部２５４に使用放送チャネルを通知する。終了時刻を含む送信開始要求を受信した時間制御部２５２は送信開始指示をデータ入力制御部２５３に通知し、制御情報多重手段２６からデータが入力されるのを待つ。また、時間制御部２５２は終了時刻を送信停止指示を出すタイマにセットする。使用放送チャネルを受け取った放送波送信制御部２５４は、使用周波数をセットして、データ入力制御部２５３からのデータを待つ。
【００３６】
一方、データ生成部２７５は、送信開始要求に加えて自送信局識別子を付加し、放送情報制御手段２３のデータ生成部２３１と主データ蓄積制御手段２４のデータ出力部２４３に対しても通知する。送信開始要求を受信したデータ生成部２３１は、主データ蓄積制御手段２４のデータ出力部２４３から送信する主データの送信する全ての内容情報を取り出し、送信開始要求に含まれる自送信局識別子に加えて個々の内容情報に対し一意に識別子を付けて、内容情報識別子を生成し、１つの内容情報識別子と内容情報とあわせて１つの放送情報を生成し、全ての放送情報を結合し、さらに送信終了時間を付け加えて、放送情報を生成し、その放送情報をデータバッファ部２３２に蓄積し、データ出力部２３３から制御情報多重手段２６の放送情報用バッファ部２６２に周期的にセットする。また、送信開始要求を受信した主データ蓄積制御手段２４のデータ出力部２４３は、既に蓄積されているデータ蓄積部２４２からデータを取り出して、制御情報多重手段２６の主データ用バッファ部２６１に順次設定する。
【００３７】
これらによって時分割多重部２６４は、主データ用バッファ部２６１にセットされた主データを順次取り出し、また、設定された制御情報の多重周期で放送情報用バッファ部２６２と送信権相対表用バッファ部２６３から取り出した放送情報および送信権相対表を時分割多重する。この時、各バッファ部からデータを取り出すとバッファ内部のデータは消去される。
時分割多重部２６４は、多重データをデータの到達を待つデータ入力制御部２５３に送信し、放送波送信制御部２５４により、放送チャネル６０で送信する。  送信停止動作はデータ送信制御手段２５を除いて、送信開始手順と同じである。データ送信制御手段２５は、送信開始手順で時間制御部２５２に送信終了時刻がセットされており、送信終了時刻に到達すると、データ入力制御部２５３に停止指示を出し、データ入力を停止させる。また、時間制御部２５２は制御要求処理部２５１に対しても停止指示を送信し、そこから放送波送信制御部２５４に停止指示を出し、放送波送信制御を停止させる。
【００３８】
一方、最初の１局以外の送信権無し送信局３０は、通信システム起動と共に、送信権制御手段２７に予め設定された放送チャネル識別子および放送チャネル周波数、帯域を放送チャネル管理部２７３から取り出し、データ出力部２７７を経由して受信要求をデータ受信制御手段２１の制御要求処理部２１３に送信する。制御要求処理部２１３はその要求を基に、放送波受信制御部２１１に受信放送チャネル６０の周波数を設定する。放送波受信制御部２１１は、送信権保持送信局２０の出力した放送信号を受信し、データ出力制御部２１２に渡す。データ出力制御部２１２は、復調を行った後、多重送信データを生成し、選択的情報分離部２２１に渡す。選択的情報分離部２２１は、初めに送信権相対表情報だけ取り出し、送信権相対表用バッファ部２２２に一時蓄積し、送信権制御手段２７の制御要求受信制御部２７１に送信権相対表を渡す。制御要求受信制御部２７１は、受信した送信権相対表をデータ生成部２７５に渡し、全ての送信局識別子を取り出し、送信局管理部２７２にセットする。また、送信権相対表から全ての放送チャネル識別子と放送チャネル周波数、帯域を取り出し、放送チャネル管理部２７３にセットする。さらに、送信権相対表から各放送局に割り当てられている送信時刻と送信局識別子からなるリストを取り出し、タイムテーブル管理部２７４にセットする。
タイムテーブル管理部２７４は、自送信局識別子を送信局管理部２７２から取り出し、自送信局に割り当てられている時間を取り出し、割り当て時刻に到達するまで待機する。割り当て時刻に到達すると、送信権保持局２０と同様の動作手順を踏む。但し、送信権相対表の生成は自送信局に割り当てられている放送チャネルについてのみの生成を行い、他放送チャネルについては、データ受信制御手段２１および受信データ分離手段２２によって取得した送信権相対表を用い、それを受信データ分離手段２２から受信して統合化して送信する。
【００３９】
一方、通信システムの初期動作時の１局の送信権保持送信局２０は、データ受信制御手段２１により他放送チャネルのデータを受信すると、受信した他放送チャネルの送信権相対表の項目の送信を停止し、自送信局に割り当てられた放送チャネルのみの送信権相対表および受信した送信権相対表を統合化して生成し送信を行う。
また、各送信権保持局は、自送信局以外に割り当てられた放送チャネルを受信し、選択的情報分離部２２１に入力された多重送信データから放送情報を分離して、一時的に放送情報用バッファ部２２３に蓄積し、放送情報制御手段２３のデータ生成部２３１に送信する。そのデータ生成部２３１は、自送信局により生成した放送情報に加え、受信した各放送チャネル毎の放送情報を統合化して、放送情報を生成し、データバッファ部２３２に一時蓄積し、データ出力部２３３により周期的に制御情報多重手段２６の放送情報用バッファ部２６２にセットし、送信する。
【００４０】
次に受信局４０および受信端末５０の動作について説明する。
まず、通信システムの初期動作の前に送信権無し送信局３０と同様に、予め最初に受信する１つの放送チャネル識別子と放送チャネル周波数、帯域をデータ受信制御手段２１の制御要求処理部２１３に、受信端末識別保持手段４５のデータ管理部４５１に地上回線網７により接続されている全ての一意に割り当てられた受信端末５０の受信端末識別子をセットしておく。また、受信端末５０は、受信端末設定部５１１に自受信端末の受信端末識別子をセットしておく。受信局４０が起動されると、制御要求処理部２１３はセットされた放送チャネル周波数、帯域を放送波受信制御部２１１にセットし、放送チャネル６０を受信し、データ出力制御部２１２に受信信号を渡す。データ出力制御部２１２は、渡された受信信号を復調後、多重送信データとして生成し送信する。選択的情報分離部２２１では、まず、送信権相対表を分離し、一時的に送信権相対表用バッファ部２２２に蓄積する。一方、送信権相対表保持制御手段４３の送信権相対表更新制御部４３１は、送信権相対表用バッファ部２２２にデータがあることを認識し、データを取り出し、送信権相対表蓄積部４３２に蓄積する。また、選択的情報分離部２２１により放送情報を分離し、一時的に放送情報用バッファ部２２３にデータを蓄積する。一方、放送情報保持制御手段４２の放送情報更新制御部４２１は、放送情報用バッファ部２２３にデータがあることを認識し、放送情報蓄積部４２２に蓄積する。これら送信権相対表と放送情報は、各送信権相対表蓄積部４３２、および放送情報蓄積部４２２の蓄積情報と、各送信権相対表用バッファ部２２２、および放送情報用バッファ部２２３とが異なる場合、各送信権相対表用更新制御部４３１、および放送情報更新制御部４２１によって随時、各送信権相対表蓄積部４３２、および放送情報蓄積部４２２が更新される。
【００４１】
一方、地上回線網７により接続された受信端末５０は、起動されると放送情報取得部５１２が受信端末設定部５１１から自受信端末の受信端末識別子を取り出し、受信端末識別子から放送情報要求を生成し、受信局４０の端末データ送信手段４１の要求受信処理部４１１に通知する。放送情報要求を受信した端末データ送信手段４１は、その要求に付加されている受信端末識別子を取り出し、受信端末識別保持手段４５のデータ管理部４５１に端末識別子があるかどうかを調べ、存在したら、データ取得要求処理部４１２に放送情報要求を通知する。データ取得要求処理部４１２は、放送情報保持制御手段４２の要求処理部４２３に放送情報を要求し、要求処理部４２３が放送情報蓄積部４２２から放送情報を取り出し、放送情報を渡す。データ取得要求処理部４１２は、放送情報を取得すると、要求受信処理部４１１に渡し、要求受信処理部４１１は受信端末識別子を付加して、地上回線網７に送信する。
【００４２】
受信端末５０は、放送情報を受信すると、その放送情報から所望の主データの内容情報識別子を取り出し、その内容情報識別子と自受信端末識別子をセットし、所望の主データ受信要求を所望データ取得部５１３により生成して、受信局４０の要求受信処理部４１１に通知する。これを受信した要求受信処理部４１１は、放送情報要求受信時と同様に、要求元受信端末識別子および送信先受信端末識別子が受信端末識別保持手段４５のデータ管理部４５１に存在するかどうか調べ、存在したら、データ取得要求処理部４１２に所望データ要求を通知する。データ取得要求処理部４１２は、所望データ要求に含まれる内容情報識別子を取り出し、受信データ保持制御手段４４の要求処理部４４３に通知する。要求処理部４４３は蓄積データ管理部４４４に通知し、受信データ蓄積部４４２に内容情報識別子に対応する主データが存在すれば抽出させ、要求処理部４４３に主データを渡す。内容情報識別子に対応する主データが存在しない場合、存在しない通知を要求処理部４４３は受け取り、内容情報識別子から送信局識別子を取り出し、送信権相対表保持手段４３の要求処理部４３３に抽出した送信局識別子を通知し、送信権相対表蓄積部４３２から放送チャネルの周波数、帯域を抽出させ、その放送チャネル周波数、帯域をデータ受信制御手段２１の制御要求処理部２１３に通知する。一方、要求処理部４４３は、主データを受け取った場合には、データ取得要求処理部４１２に主データを渡し、データ取得要求処理部４１２は、主データを取得すると、要求受信処理部４１１に渡し、受信端末識別子を付加して、地上回線網７に送信する。また、要求処理部４４３が主データを受け取れなかった場合には、現在、所望データを受信処理中であることをデータ取得要求処理部４１２に通知し、それを要求受信処理部４１１に渡し、受信端末識別子を付加して、地上回線網７に送信する。所望の主データ要求を発呼した受信端末５０は、応答を所望データ取得部５１３により受信する。
【００４３】
また、制御要求処理部２１３は、要求処理部４４３から放送チャネル周波数、帯域を受信し、放送波受信制御部２１１に設定して、データ出力制御部２１２に渡す。データ出力制御部２１２は、前記処理を行い、選択的情報分離部２２１に多重送信データを渡す。選択的情報分離部２２１は、主データを分離し主データ用バッファ部２２４に一時蓄積する。受信データ更新制御部４４１は、受信データ蓄積部４４２に存在しないデータが主データ用バッファ部２２４に存在することを確認し、データを取り出して、受信データ蓄積部４４２に蓄積し、要求処理部４４３に通知して、データ取得要求処理部４１２に主データを渡す。主データを受け取ったデータ取得要求処理部４１２は、その主データを要求受信処理部４１１に渡し、まず、所望の主データ送信要求のあった受信端末５０に対し、主データを所望するかどうか確認し、所望するのであれば、主データを送信する。また、所望しないのであれば、受信した主データを廃棄する。
一方、所望の主データ送信要求を受信した要求受信処理部４１１は、その所望の主データ要求を受信局要求計測制御手段４６のデータ生成部４６１にも送信し、そこで、内容情報識別子と受信端末識別子を抽出し、データ管理部４６２によってリストとして保存される。このデータ管理部４６２に対し、受信データ保持制御手段４４の蓄積データ管理部４４４がアクセスし、その要求数によって、受信データ蓄積部４４２に蓄積しているデータを所定時間以上保存するかどうかを判断し、保存しない場合には、受信データ蓄積部４４２に削除指示する。また、内部カウンタをリセットさせる。
【００４４】
以上のように、この実施の形態１によれば、送信局および受信局の制御データとして用いる送信権相対表および放送情報を周期的に主データと時分割多重しているので、気象条件などの外部要因によって受信障害が一時的に発生しても受信することができ、また、周期的に受信し比較をしているので、受信情報の信頼確認ができる。
また、送信権制御を割り当てられた時間に送信権を持つ送信局が行うので、いずれかの送信局が故障しても、その割り当て時間以外の時間は正常に送受信動作することができる。
さらに、放送情報を周期的に送信しているので、受信局が受信をするための制御回線が必要ないので、周波数を有効利用することができる。
さらに、各放送チャネル毎の送信権相対表や放送情報、各放送チャネルを持つ送信権保持局が他放送チャネルを受信して取り出し、自送信局の送信権相対表および放送情報と統合化するようにしているので、受信局が１つの放送チャネルを受信しても、全放送チャネルの放送情報や送信権相対表を受信でき、容易に他の放送チャネルの受信制御ができる。
さらに、各受信局と地上回線網で複数の受信端末と接続し、受信端末が必要に応じて受信局に情報を要求して所望情報を抽出、受信しているので、受信端末に受信をするための設備を必要とせず、また、予め持つ情報保持手段を最小限にすることができ、低コストで受信端末を構成することができる。
【００４５】
実施の形態２．
図５はこの発明の実施の形態２の通信システムを示す構成図であり、図において、２８は受信端末５０が送信した所望のデータ送信要求を受信局４０の端末データ送信手段４１が受け取り、受信データ保持制御手段４４にデータが存在するかどうか調べ、なければ地上回線網７ａにより接続されている送信権保持送信局２０または送信権無し送信局３０に転送し、所望のデータ送信要求を受信した送信権保持送信局２０または送信権無し送信局３０が送信権制御手段２７から現在送信権を保持する送信局を取り出し、送信権保持送信局２０に対して転送するデータ送信要求転送手段である。２９は受信局４０の受信局要求計測制御手段４６が所定の時間間隔に計測した内容情報識別子、受信端末識別子、要求数、受信局識別子からなるデータを送信するので、その地上回線網７ａにより接続された送信局が各受信局のその計測情報を受信し、その計測データから、各受信局識別子と要求数、内容情報識別子と要求数、異なる受信局計測データで内容情報識別子が同一のものに対し、同報性があると判断し同報性識別子を付けたリストに生成し直し、送信局識別子を付けて送信権保持送信局２０に送信する送信局計測制御手段である。また、７ｂは送信権保持送信局２０と送信権無し送信局３０とを接続する地上回線網である。
その他の構成は、図１と同一であるので重複する説明を省略する。
【００４６】
図６はこの発明の実施の形態２による送信権保持送信局および送信権無し送信局の詳細な構成を示すブロック図であり、図において、主データ蓄積制御手段２４のデータ出力部２４３は、地上回線網７ａに接続され、データ送信要求転送手段２８から転送されてきた所望のデータ送信要求を受信し、データ蓄積部２４２から主データを取り出し、さらに現在送信中の送信帯域を送信権制御手段２７に問い合わせ、放送チャネル管理部２７３から抽出して、送信帯域に空き帯域があれば制御情報多重手段２６に送信し、なければ要求送信元に拒否通知を行うことを図２に示した構成に加えたものである。
また、送信権制御手段２７の制御要求受信制御部２７１は、送信局計測制御手段２９からの要求を受信することを図２に示した構成に加えたものである。送信権制御手段２７の送信局管理部２７２は、送信局計測データを受信し、内容情報識別子から送信局識別子を取り出し、それに対する受信端末の要求数、同報性識別子を抽出してリストを作成し、周期的に受信する送信局計測データによって、前記処理を行い、送信局割り当て時間リストを生成し、リストを更新することを図２に示した構成に加えたものである。送信権制御手段２７のタイムテーブル管理部２７４は、そのリストから各送信局に割り当てる送信権の割り当て時間を決定し、送信局識別子を設定する送信局割り当て時間リストを生成し、周期的に前記処理を行い、送信局割り当て時間リストを更新することを図２に示した構成に加えたものである。
【００４７】
２８は図５に示したデータ送信要求転送手段であり、２８１は地上回線網７ａにより接続された受信局４０から送られてくる所望のデータ送信要求を受信し、送信権制御手段２７から現在割り当てられている送信権保持送信局２０を抽出し、送信権保持送信局２０に転送する送信権保持送信局転送部である。
２９は図５に示した送信局計測制御手段であり、２９１は地上回線網７ａにより接続されている複数の受信局５０から送られてくる受信局計測データを所定の時間間隔で受信し、内容情報識別子、要求数、異なる受信局計測データで内容情報識別子が同じものに対し同報性があると判断し、同報性識別子を付けるリストを生成し、自送信局識別子を付加して、送信局計測データを生成し、また、送信権制御手段２７から現在割り当てられている送信権保持送信局２０を抽出し、送信権保持送信局２０にその送信局計測データを送信する計測データ処理部である。その他の構成は、図２と同一であるので重複する説明を省略する。
【００４８】
次に動作について説明する。
基本動作は実施の形態１と同様であるので、送信局の異なる動作について説明する。
まず、受信局４０の受信局要求計測制御手段４６のデータ管理部４６２と端末データ送信手段４１のデータ取得要求処理部４１２は、地上回線網７ａによって、所定の送信権保持送信局２０または送信権無し送信局３０と接続されている。受信局４０の受信局要求計測制御手段４６のデータ管理部４６２は、受信端末５０からの所望データ送信要求によって計測して生成した、内容情報識別子、要求数、自受信局識別子からなる受信局計測データを所定の時間間隔で送信権保持送信局２０または送信権無し送信局３０の送信局計測制御手段２９の計測データ処理部２９１に送られる。
計測データ処理部２９１は、複数の受信局４０から受信局計測データを受信し、内容情報識別子と要求数を取り出し、また異なる受信局識別子を含む受信局計測データでかつ同一内容情報識別子を含む場合に、その内容情報識別子を持つ主データは同報性があると判断し、内容情報識別子と要求数、同報性識別子から計測リストを生成し、また、送信権制御手段２７の送信局管理部２７２から現在送信権を保持する送信権保持送信局２０の送信局識別子と自送信局識別子を取り出し、計測リストに自送信局識別子を付け、送信局計測データを生成して送信権保持送信局２０に送信する。
【００４９】
その送信局計測データを受信した送信権保持送信局２０の計測データ処理部２９１は、送信権制御手段２７の制御要求受信制御部２７１に転送する。送信局計測データを受信した制御要求受信制御部２７１は、データ生成部２７５を経由して、送信局管理部２７２に送信する。送信局管理部２７２は、送信局計測データから内容情報識別子を取り出し、そこからその内容を保持する送信局識別子を抽出し、送信局識別子毎に要求数、同報性識別からなる送信局要求リストを生成し、タイムテーブル管理部２７４に送信する。その送信局要求リストを受信したタイムテーブル管理部２７４は、同報性識別と要求数から各送信局識別子に割り当てる時間を決定し、タイムテーブルを作成し、データ生成部２７５にタイムテーブルが変更されたことを通知する。データ生成部２７５は、その変更通知を受け、放送チャネル管理部２７３から自送信局に割り当てられている放送チャネルとタイムテーブルから送信権相対表を生成し、データバッファ部２７６に一時蓄積する。一方、データ出力部２７７は一定周期でデータバッファ部２７６から送信権相対表を取り出し、送信権相対表用バッファ部２６３に設定するので、更新と同時に新しい送信権相対表が送信される。
【００５０】
また、受信端末５０から送られてきた所望データ送信要求は、端末データ送信手段４１のデータ取得要求処理部４１２により、受信データ保持制御手段４４の蓄積データ管理部４４４に問い合わせ、存在しない場合、地上回線網７ａにより接続されている送信権保持送信局２０または送信権無し送信局３０に送信される。その所望のデータ送信要求をデータ送信要求転送手段２８の送信権保持送信局転送部２８１により受信した送信権保持送信局２０または送信権無し送信局３０は、自送信局が送信権がない場合に、送信権制御手段２７の送信局管理部２７２からデータ生成部２７５、データ出力部２７７を経由して、現在の送信権保持送信局識別子と自送信局識別子を取り出し、所望のデータ送信要求に自送信局識別子を付け、送信権保持送信局２０に所望のデータ送信要求を送信する。
送信権保持送信局２０は、所望のデータ送信要求を主データ蓄積制御手段２４のデータ出力部２４３により受信し、送信権制御手段２７の放送チャネル管理部２７３に自送信局に割り当てられている放送チャネルの帯域を問い合わせ、データ生成部２７５を経由して、帯域を取り出す。現在、主データを送信している帯域に空き領域があれば、所望のデータ送信要求から内容情報識別子を取り出して、それに対応する主データをデータ蓄積部２４２から抽出し、制御情報多重手段２６の主データ用バッファ部２６１に出力する。また、空き帯域がなければ、所望のデータ送信要求を拒否し、その要求元送信局を経由して、要求元受信局４０のデータ取得要求処理部４１２に送信する。データ取得要求処理部４１２は、データ受信制御手段２１、受信データ分離手段２２、受信データ保持制御手段４４を経由して、所望の主データを受信したら、その主データを要求受信処理部４１１を経由して、要求元受信端末５０に送信する。また、地上回線網７ａから所望のデータ送信要求拒否を受け取った場合には、その拒否応答を要求受信処理部４１１を経由して、要求元受信端末５０に送信する。
【００５１】
以上のように、この実施の形態２によれば、各受信局、各送信局で内容情報と要求数、各局識別子、同報性識別からなる計測データを生成するので、送信局に割り当てる送信権保持の時間を最適に割り振ることができる。
また、受信端末からの所望の主データ送信要求を送信権保持送信局２０に転送し、送信権保持送信局２０内の送信権制御手段２７から割り当てられた帯域を抽出し、空き帯域を調べることにより、放送チャネルの帯域を有効に利用することができる。
【００５２】
実施の形態３．
図７はこの発明の実施の形態３による通信システムを示す構成図であり、図において、１２は割り当てられた各放送チャネル毎の送信権保持送信局２０を２つの送信局に割り当て、そのうちの１局の送信局であり、主送信を行うマスター送信局（送信局）、１３はもう一方の１局の送信局であり、マスター送信局１２が異常である場合に送信を開始し、また、マスター送信局１２が正常動作しているかどうかを監視するスレーブ送信局（送信局）である。
その他の構成は、図１および図５と同一であるので重複する説明を省略する。
【００５３】
図８はこの発明の実施の形態３によるマスター送信局、スレーブ送信局、および送信権無し送信局の詳細な構成を示すブロック図であり、図において、２２は図７に示した受信データ分離手段であり、２２５はマスター送信局１２またはスレーブ送信局１３から受信確認応答を要求され、送信権相対表用バッファ部２２２、放送情報用バッファ部２２３、および主データ用バッファ部２２４にデータが受信されているかどうか確認し、応答するデータ受信監視部である。
２５は図７に示したデータ送信制御手段であり、２５５は自送信局がスレーブ送信局１３である場合に、受信データ分離手段２２のデータ受信監視部２２５に対し、正常受信しているかどうか確認し、受信していなければ、送信権制御手段２７から任意の送信権無し送信局３０を取り出し、受信確認応答を要求し、その応答が正常受信していれば自送信局が異常であると判断しマスター送信局１２に対しスレーブ送信権放棄要求を送信し、また、その受信確認応答が受信異常であれば、マスター送信局１２が異常であると判断し、マスター送信局１２に対し送信停止命令を送信し、送信停止、およびマスター送信権放棄を受信したら、送信権制御手段２７、制御要求処理部２５１、時分割多重部２６４に対し送信開始指示を、さらに送信権制御手段２７には送信権相対表更新を指示するスレーブ動作監視部、２５６は自送信局がマスター送信局１２である場合に、送信権制御手段２７からスレーブ送信局１３と任意の送信権無し送信局３０を抽出し、受信確認応答を要求し、その応答が受信異常であれば自送信局が異常であると判断しスレーブ送信局１３に対しマスター送信権放棄要求を送信し、また、制御要求処理部２５１を経由して、放送波送信制御部２５４およびデータ入力制御部２５３、送信権制御手段２７、および放送情報制御手段２３、主データ蓄積制御手段２４に対し、送信停止を通知し、送信を停止させるマスター動作監視部である。
その他の構成は、図２および図６と同一であるので重複する説明を省略する。
【００５４】
次に動作について説明する。
基本動作は実施の形態１および実施の形態２と同様であるので、送信局の異なる動作について説明する。
まず、送信権制御手段２７の送信局管理部２７２が各送信局識別子に送信権割り当てを行う時に、２つの識別子に対し、同じ時間を割り当て、１つをマスター送信権、もう１つをスレーブ送信権として設定する。タイムテーブル管理部２７４は、そのマスター送信権とスレーブ送信権を割り当てられた２つの送信局に対し、１つの時間割り当てを行う。マスター送信権を割り当てられた送信局は、割り当てられた時間に達すると送信開始／停止を行い送信権を制御する。スレーブ送信権を割り当てられた送信局は、割り当てられた時間に達すると送信準備のみ行い待機し、終了時刻と共に待機状態を解除し、送信終了とする。
【００５５】
送信局がマスター送信局１２である場合に、 データ送信制御手段２５のマスター動作監視部２５６は、送信権制御手段２７の制御要求受信制御部２７１にスレーブ送信局１３と送信権無し送信局３０の送信局識別子の抽出要求を送信し、制御要求受信制御部２７１がデータ生成部２７５を経由して、送信局管理部２７２からその２つの送信局識別子を取り出し、マスター動作監視部２５６に送信する。マスター動作監視部２５６はその識別子を用いてその受信確認応答要求を生成し、制御要求処理部２５１を経由して、地上回線網７ａに接続されている２つの各送信局に所定の時間周期で定期的に送信する。スレーブ送信局１３および送信権無し送信局３０は、受信確認応答要求を受信データ分離手段２２のデータ受信監視部２２５により受信し、送信権相対表用バッファ部２２２、放送情報用バッファ部２２３、および主データ用バッファ部２２４に受信データが逐次書き込まれているかどうか確認し、書き込まれていれば受信しており、書き込まれていなければ受信されていないと判断して、マスター送信局１２のデータ送信制御手段２５の制御要求処理部２５１に受信確認応答をする。受信確認応答を受信した制御要求処理部２５１はその応答をマスター動作監視部２５６に送る。マスター動作監視部２５６は、受信確認応答が両方とも受信異常である場合には、自送信局が異常であると判断し、マスター送信権放棄要求をスレーブ送信局１３の送信権制御手段２７の制御要求受信制御部２７１に対して送信する。それと同時に自送信局の送信権制御手段２７の制御要求受信処理部２７１、制御情報多重手段２６の時分割多重部２６４に停止指示を行う。制御要求受信制御部２７１は、データ生成部２７５を経由して、送信権制御手段２７のデータ出力部２７７、放送情報制御手段２３のデータ生成部２３１経由によりデータ出力部２３３、主データ蓄積制御手段２４のデータ出力部２４３に対して、送信停止指示を行う。各データ出力部は送信を停止する。また、データ送信制御手段２５の制御要求処理部２５１を経由して、放送波送信制御部２５４、時間制御部２５２に経由してデータ入力制御部２５３に送信停止を指示し、送信を停止させる。
【００５６】
一方、スレーブ送信局１３は、マスター送信権放棄要求を制御要求受信制御部２７１により受信し、データ生成部２７５に対して、マスター送信権放棄指示と送信開始指示を行う。データ生成部２７５は、送信局管理部２７２に対し、マスター送信局識別子に対し、送信権割り当て送信局候補から除外する。また、送信局識別子リスト、送信局計測データを送信局管理部２７２、タイムテーブルをタイムテーブル管理部２７４、放送チャネル識別子および周波数、帯域から成る放送チャネルリストを放送チャネル管理部２７３から取り出して、各送信権送信局識別子に対し、割り当て送信時間、放送チャネル識別子、放送チャネル周波数、帯域からなる送信権相対表を生成して、データバッファ部２７６に一時蓄積する。また、データ出力部２７７は、周期的にデータバッファ部２７６から取り出し、さらに送信権相対表用バッファ部２６３に逐次送信する。
【００５７】
また、送信局がスレーブ送信局１３である場合に、データ送信制御手段２５のスレーブ動作監視部２５５は、制御要求処理部２５１を経由して、自送信局の受信データ分離手段２２のデータ受信監視部２２５に受信確認要求を所定の時間間隔で定期的に送信する。そのデータ受信監視部２２５は送信権相対表用バッファ部２２２、放送情報用バッファ部２２３、主データ用バッファ部２２４に対し、選択的情報分離部２２１から受信データの書き込みが発生しているかどうか調べ、書き込まれていれば受信中と判断し、所定時間以上書き込まれていなければ受信異常と判断し、自送信局のデータ送信制御手段２５の制御要求処理部２５１を経由して、スレーブ動作監視部２５５に前記要求に対しての受信確認応答を送信する。スレーブ動作監視部２５５は、その受信確認応答が受信異常であれば、送信権制御手段２７の制御要求受信制御部２７１に任意の複数の送信権無し送信局３０または受信局４０を抽出要求を送信する。送信権制御手段２７の制御要求受信制御部２７１は前記抽出要求を受信すると、データ生成部２７５を経由して送信局管理部２７２から任意の複数の送信権無し送信局３０または受信局４０の送信局識別子または受信局識別子を取り出し、自送信局のデータ送信制御手段２５のスレーブ動作監視部２５５に対し送信する。任意の複数の送信権無し送信局３０または受信局４０の送信局識別子または受信局識別子を受信したスレーブ動作監視部２５５は、その局識別子に従って制御要求処理部２５１を経由して地上回線網７ａに接続された送信権無し送信局３０、または受信局識別子の接続されている送信局を経由して受信局４０に対し、受信確認要求を送信する。そして、送信権無し送信局３０または受信局４０は、自局の受信データ分離手段２２のデータ受信監視部２２５により、前記受信確認要求を受信し、スレーブ送信局１３と同様、送信権相対表用バッファ部２２２、放送情報用バッファ部２２３、主データ用バッファ部２２４に対し、選択的情報分離部２２１から受信データの書き込みが発生しているかどうか調べ、書き込まれていれば受信中と判断し、所定時間以上書き込まれていなければ受信異常と判断し、受信確認要求のあったスレーブ送信局１３に対し、受信確認応答を送信する。受信確認応答を受信したスレーブ送信局１３は、データ送信制御手段２５の制御要求処理部２５１を経由して、スレーブ動作監視部２５５により受信し、全ての受信確認応答が受信異常であった場合マスター送信局１２が送信異常であると判断し、正常受信であった場合には、自スレーブ送信局１３が異常であると判断する。
【００５８】
マスター送信局１２が送信異常であると判断した場合には、送信権制御手段２７の制御要求受信制御部２７１、データ生成部２７５を経由して送信局管理部２７２に対し、現在のマスター送信局１２の送信局識別子を抽出する要求を送信し、その抽出された送信局識別子を用いて、マスター送信局送信異常停止命令をマスター送信局１２に地上回線網７ａを用いて送信する。マスター送信局１２では、そのマスター送信局送信異常停止命令をデータ送信制御手段２５の制御要求処理部２５１を経由してマスター動作監視部２５６により受信する。マスター送信局送信異常停止命令を受信したマスター動作監視部２５６は、制御要求処理部２５１を経由して、放送波送信制御部２５４に送信停止指示を行い、また、時間制御部２５２を経由して、データ入力制御部２５３にデータ入力停止指示を行い、さらに制御情報多重手段２６の時分割多重部２６４に対して、多重停止指示を行う。そして、マスター動作監視部２５６は、送信権制御手段２７の制御要求受信制御部２７１を経由してデータ生成部２７５に対し、データ送信停止指示を行う。データ送信停止指示を受信したデータ生成部２７５は、データ出力部２７７に対し送信停止指示を行い、放送情報制御手段２３のデータ生成部２３１に対して、また主データ蓄積制御手段２４のデータ出力部２４３に対して、送信停止指示を行う。また、送信権制御手段２７のデータ生成部２７５は送信権相対表の生成も停止し、また同様に放送情報制御手段２３のデータ生成部２３１も放送情報の生成を停止する。そして、マスター動作監視部２５６は、マスター送信権放棄要求をスレーブ送信局１３に対して送信する。そして、その要求を受信したスレーブ動作監視部２５５は、制御要求処理部２５１を経由して放送波送信制御部２５４、時間制御部２５２、自送信局の送信権制御手段２７の制御要求受信制御部２７１に送信開始指示を、制御要求処理部２５１、時間制御部２５２を経由して、データ入力制御部２５３、放送波送信制御部２５４に送信開始指示を、制御情報多重手段２６の時分割多重部２６４に対し多重開始指示を行う。
【００５９】
一方、スレーブ動作監視部２５５により、送信権無し送信局３０または受信局４０から受信した受信確認応答が正常受信であった場合、スレーブ動作監視部２５５は自送信局の送信権制御手段２７の制御要求受信制御部２７１、データ生成部２７５を経由して、送信局管理部２７２からマスター送信局識別子を抽出し、その識別子を用いて、制御要求処理部２５１を経由して、マスター送信局１２に対し、スレーブ送信権放棄要求を送信する。また、スレーブ動作監視部２５５は、動作が待機中である、放送波送信制御部２５４、データ入力制御部２５３に制御要求処理部２５１を経由して、停止指示し、さらに制御情報多重手段２６の時分割多重部２６４、送信権制御手段２７の制御要求受信制御部２７１を経由してデータ生成部２７５に対し、停止指示を行う。送信権制御手段２７のデータ生成部２７５は停止指示を受信すると、送信権相対表生成を停止し、データ出力部２７７に出力停止を指示する。さらにデータ生成部２７５は、主データ蓄積制御手段２４のデータ出力部２４３、放送情報制御手段２３のデータ生成部２３１に対し、停止指示を行う。放送情報制御手段２３のデータ生成部２３３は、停止指示を受信すると、放送情報の生成を停止し、データ出力部２２３にデータ出力停止指示を行う。さらに、マスター送信局１２のデータ送信制御手段２５の制御要求処理部２５１を経由して、マスター動作監視部２５６により、スレーブ送信権放棄要求を受信すると、そのマスター送信局１２の送信権制御手段２７の制御要求受信制御部２７１およびデータ生成部２７５を経由して、送信局管理部２７２に対し、スレーブ送信権放棄要求を転送する。送信局管理部２７２は、要求を受信すると、送信権無し送信局３０から任意の１局の送信局を取り出し、スレーブ送信権を与え、さらに、スレーブ送信権放棄要求を送信したスレーブ送信局１３の送信局識別子を取り出して、送信権割り当て送信局候補から除外する。また、タイムテーブル管理部２７４に指定送信局除外指示を行い、タイムテーブル管理部２７４は指定送信局除外指示に含まれる送信局識別子を取り出し、既に生成したタイムテーブルから指定送信局識別子を含むリストを全て削除する。
このようにして更新された各情報を元に、データ生成部２７５は送信権相対表を新たに生成して、データバッファ部２７６に対し設定する。
【００６０】
以上のように、この実施の形態３によれば、マスター送信局１２とスレーブ送信局１３を設けたので、送信局異常に対して、データ送信が停止されることがなくなり、放送チャネルを効率的に利用することができる。
また、スレーブ動作監視部２５５、マスター動作監視部２５６、およびデータ受信監視部２２５を設けたので、送信局異常を検出できると共に、送信権割り当てに対し、異常送信局を割り当てることがなくなり、放送チャネルを効率的に利用することができる。
【００６１】
【発明の効果】
以上のように、この発明によれば、各送信局が送信権相対表の割り当てを行い、送信権相対表を制御できるのが現在送信権を割り当てられている送信局であることを識別する送信権制御手段と、主データ蓄積制御手段に保持された内容情報に対して、送信権相対表の送信局識別子に応じて内容情報識別子を一意に割り当て放送情報として生成する放送情報制御手段と、放送チャネル毎の主データに同一の送信権相対表と放送情報を所定周期によって周期的に多重化して送信する制御情報多重手段と、送信権相対表により送信権を割り当てられたことを識別し、その送信権相対表により割り当てられた時間に、制御情報多重手段から送られてくるデータを、割り当てられた放送チャネルで送信するデータ送信制御手段と、データ受信制御手段により受信したデータから主データと送信権相対表と放送情報を分離する受信データ分離手段とを備え、送信権制御手段は、受信データ分離手段から送信権相対表を抽出保持し、送信権制御あるいは送信権相対表の更新に用いるように構成したので、送信局および受信局の制御データとして用いる送信権相対表および放送情報を周期的に主データと多重しているため気象条件などの外部要因によって受信障害が一時的に発生しても受信することができ、また、周期的に受信し比較をしているので、受信情報の信頼確認ができる。また、送信権制御を割り当てられた時間に送信権を持つ送信局が行うので、いずれかの送信局が故障しても、その割り当て時間以外の時間は正常に送受信動作することができる。さらに、放送情報を周期的に送信しているので、受信局が受信をするための制御回線が必要ないので、周波数を有効利用することができる効果が得られる。
【００６２】
また、この発明によれば、データ受信制御手段により受信した受信データから受信データ分離手段によって送信権相対表を抽出し、自送信局で保持する送信権相対表との差分を抽出して、自送信局で保持する送信権相対表に、差分を追加し更新する送信権制御手段を備えるように構成したので、受信局が１つの放送チャネルを受信しても、全放送チャネルの送信権相対表を受信でき、容易に他の放送チャネルの受信制御ができる効果が得られる。
【００６３】
さらに、この発明によれば、受信データ分離手段によって放送情報を抽出し、自送信局で保持する放送情報との差分を抽出して、自送信局で保持する放送情報に、差分を追加し更新する放送情報制御手段を備えるように構成したので、受信局が１つの放送チャネルを受信しても、全放送チャネルの放送情報を受信でき、容易に他の放送チャネルの受信制御ができる効果が得られる。
【００６４】
さらに、この発明によれば、受信データ分離手段によって抽出した主データを地上回線網に送信する端末データ送信手段と、端末データ送信手段から地上回線網を通じて送信される主データを取得する端末受信処理手段とを備えるように構成したので、受信端末に受信をするための設備を必要とせず、また、予め持つ情報保持手段を最小限にすることができ、低コストで受信端末を構成することができる効果が得られる。
【００６５】
さらに、この発明によれば、端末データ送信手段から地上回線網を通じて送信される放送情報を取得する放送情報取得手段と、放送情報から所望データと割り当てられた受信端末識別子に応じて所望データ送信要求を生成して受信局に送信し、その受信局から所望の応答データを取得する所望データ取得手段とを備えるように構成したので、受信端末において所望の応答データを取得することができる効果が得られる。
【００６６】
さらに、この発明によれば、送信局から送られてきたデータを一定時間保持する受信データ保持制御手段と、受信端末からの所望データ送信要求を受信し、所望データが受信データ保持制御手段に存在する時、その受信データ保持制御手段から抽出後、要求元の受信端末に転送する端末データ送信手段とを備えるように構成したので、受信データ保持制御手段に所望のデータが存在すれば、受信端末において所望の応答データを取得することができる効果が得られる。
【００６７】
さらに、この発明によれば、所望のデータ送信要求が受信データ保持制御手段にない場合に、所定の送信局に対しその所望のデータ送信要求を転送する端末データ送信手段と、送信権制御手段によって抽出した送信権保持送信局に対し、端末データ送信手段からの所望データ送信要求を転送するデータ送信要求転送手段と、送信権保持送信局が所望データ送信要求を受信し、内容情報識別子と共に送信局識別子を取り出し、主データを保持する送信局に対し、地上回線網によって主データ送信要求を発呼し、主データを受信後に制御情報多重手段に対して送信する主データ蓄積制御手段とを備えるように構成したので、受信データ保持制御手段において所望のデータが存在しない場合でも主データを保持する送信局から所望のデータを取得することができる効果が得られる。
【００６８】
さらに、この発明によれば、所定の一定時間内に到着した所望のデータ送信要求を発呼した受信端末識別子と所望データの放送チャネル識別子、放送情報の内容情報識別子、要求数からなる受信局要求計測データを生成する受信局要求計測制御手段と、受信局要求計測制御手段により生成された受信局要求計測データに応じて送信頻度の高い情報を所定一定時間以上保持する受信データ保持制御手段とを備えるように構成したので、送信局に割り当てる送信権保持の時間を最適に割り振ることができる効果が得られる。
また、送信頻度の高い情報を保持することができるので、所望のデータがなくなることが少なくなる効果が得られる。
【００６９】
さらに、この発明によれば、受信局要求計測データと自受信局識別子を付加して受信局計測データを生成し、地上回線網により接続された１局の送信局に対し、受信局計測データを所定の時間間隔で周期的に送信する受信局要求計測制御手段と、複数の受信局から送られてくる受信局毎の受信局計測データを受信し、放送チャネル毎の受信局計測データに送信局識別子を付加させて送信局計測データを生成し、各放送チャネル毎の送信権保持送信局に対し、送信局計測データを所定の時間間隔で周期的に送信する送信局計測制御手段と、現在送信権を持つ各放送チャネル毎の送信権保持送信局を抽出すると共に、各放送チャネル毎の各送信権保持送信局が各送信局の送信局計測データを受信し、送信局計測データから内容情報識別子と要求数を抽出し、数値から要求頻度の高い主データを持つ送信局に優先的に送信権を割り当てるように送信権相対表制御を行う送信権制御手段とを備えるように構成したので、受信端末からの所望の主データ送信要求を送信権保持送信局に転送し、送信権保持送信局内の送信権制御手段から割り当てられた帯域を抽出し、空き帯域を調べることにより、放送チャネルの帯域を有効に利用することができる効果が得られる。
【００７０】
さらに、この発明によれば、複数の受信局から各受信局計測データを受信し、各計測データの内容識別子が他の計測データの内容識別子が同一で、かつ受信局識別子が異なる内容識別子に対し、同報性があると判断して、送信局計測データの各内容識別子に対し、同報性識別子を付加して、送信局計測データを生成する送信局計測制御手段と、送信局計測データに応じて各内容識別子に同報性識別があるものに対し、その内容識別子からデータを保持する送信局識別子を抽出して、その送信局に対し優先的に送信権割り当てを行う送信権制御手段とを備えるように構成したので、送信局に割り当てる送信権保持の時間を最適に割り振ることができる効果が得られる。
【００７１】
さらに、この発明によれば、送信権保持送信局の場合に、送信権相対表の各放送チャネル識別子に対し、１つのマスター送信局識別子と１つのスレーブ送信局識別子を割り当てる送信権制御手段と、受信データ分離手段により受信データから送信権相対表を分離し、送信権相対表のマスター送信局識別子が自送信局の送信局識別子であることを抽出し、マスター送信局として、割り当てられた時間と放送チャネルによって送信制御を行うと共に、送信権相対表のスレーブ送信局識別子が自送信局の送信局識別子であることを抽出し、スレーブ送信局として送信待機状態を保ち、データ受信制御手段によりマスター送信局が送信異常である場合に割り当てられた時間と放送チャネルで送信制御を行うデータ送信制御手段を備えるように構成したので、マスター送信局とスレーブ送信局を設けたので、送信局異常に対して、データ送信が停止されることがなくなり、放送チャネルを効率的に利用することができる効果が得られる。
【００７２】
さらに、この発明によれば、スレーブ送信局である場合に、マスター送信局から所定一定時間以上に放送データを受信できず、他の送信権を持たない１局以上の送信局に対し、地上回線網により受信確認要求を送信し、受信確認要求に対する応答を受信し、その応答のうち受信不可状態の応答が所定数以上存在する場合にマスター送信局または放送チャネル異常と判断し、逆に受信不可状態応答が所定数以下の存在の場合に自スレーブ局が異常であると判断するデータ送信制御手段と、送信権を持たない送信局である場合に、受信確認要求を受信し、放送チャネルを受信できているかどうかを判断し応答する受信データ分離手段とを備えるように構成したので、マスター送信局とスレーブ送信局を設けたので、送信局異常に対して、データ送信が停止されることがなくなり、放送チャネルを効率的に利用することができる効果が得られる。
【００７３】
さらに、この発明によれば、スレーブ送信局の場合に、データ送信手段によって自スレーブ局異常と判断した場合に、マスター送信局に対し、スレーブ送信権放棄要求を通知するデータ送信制御手段と、マスター送信局の場合に、スレーブ送信権放棄要求を受信し、送信権のない他の送信局からスレーブ送信権を割り当て、送信権相対表を更新し、変更通知を行う送信権制御手段と、送信権制御手段によって更新された送信権相対表を主データと多重して送信する制御情報多重手段とを備えるように構成したので、送信権割り当てに対し、異常送信局を割り当てることがなくなり、放送チャネルを効率的に利用することができる効果が得られる。
【００７４】
さらに、この発明によれば、マスター送信局の場合に、所定一定周期でスレーブ送信局および任意の１局以上の送信局に対し放送データを受信できているかどうかを確認応答要求を送信して受信確認応答を受信し受信不可状態応答が所定数以上であった場合に自マスター送信局が異常であると判断して送信を停止してスレーブ送信局に対しマスター送信権放棄を通知し、スレーブ送信局の場合に、マスター送信権放棄要求を受信し自スレーブ送信局が送信を開始するデータ送信制御手段と、スレーブ送信局または送信権を持たない送信局の場合に、受信確認応答要求を受信し、放送データを受信しているかどうかチェックし応答する受信データ分離手段と、自スレーブ送信局がマスター送信局として動作し、任意の送信権を持たない送信局から１局の送信局にスレーブ送信権を割り当て、送信権相対表を更新し、制御情報多重手段に対し送信権相対表更新を通知する送信権制御手段とを備えるように構成したので、送信権割り当てに対し、異常送信局を割り当てることがなくなり、放送チャネルを効率的に利用することができる効果が得られる。
【００７５】
さらに、この発明によれば、マスター送信局またはスレーブ送信局であった場合に、スレーブ送信権放棄要求またはマスター送信権放棄要求を発呼した送信局を、送信権の割り当てる送信局候補から除外し、除外送信局リセット要求を外部入力によって受信するまで送信権割り当て送信局候補から除外する送信権制御手段を備えるように構成したので、送信権割り当てに対し、異常送信局を割り当てることがなくなり、放送チャネルを効率的に利用することができる効果が得られる。
【００７６】
さらに、この発明によれば、送信権保持送信局である場合に、各送信権無し送信局から送信される送信局計測データが所定時間以上受信されない時、送信局異常と判断し、送信権割り当て送信局リストの候補から削除する送信権制御手段を備えるように構成したので、送信権割り当てに対し、異常送信局を割り当てることがなくなり、放送チャネルを効率的に利用することができる効果が得られる。
【図面の簡単な説明】
【図１】  この発明の実施の形態１による通信システムを示す構成図である。
【図２】  この発明の実施の形態１による送信権保持送信局および送信権無し送信局の詳細な構成を示すブロック図である。
【図３】  この発明の実施の形態１による受信局の詳細な構成を示すブロック図である。
【図４】  この発明の実施の形態１の受信端末の詳細な構成を示すブロック図である。
【図５】  この発明の実施の形態２の通信システムを示す構成図である。
【図６】  この発明の実施の形態２による送信権保持送信局および送信権無し送信局の詳細な構成を示すブロック図である。
【図７】  この発明の実施の形態３による通信システムを示す構成図である。
【図８】  この発明の実施の形態３によるマスター送信局、スレーブ送信局、および送信権無し送信局の詳細な構成を示すブロック図である。
【図９】  従来の衛星通信システムの回線制御装置を示す構成図である。
【符号の説明】
７，７ａ，７ｂ  地上回線網、８  外部入力インタフェース、１２  マスター送信局（送信局）、１３  スレーブ送信局（送信局）、２０  送信権保持送信局（送信局）、３０  送信権無し送信局（送信局）、２１  データ受信制御手段、２２  受信データ分離手段、２３  放送情報制御手段、２４  主データ蓄積制御手段、２５  データ送信制御手段、２６  制御情報多重手段、２７  送信権制御手段、２８  データ送信要求転送手段、２９  送信局計測制御手段、４０  受信局、４１  端末データ送信手段、４４  受信データ保持制御手段、４６  受信局要求計測制御手段、５０  受信端末、５１  端末受信処理手段、５１２  放送情報取得部（放送情報取得手段）、５１３  所望データ取得部（所望データ取得手段）。
【図１】
0004226145.tif 000002
【図２】
0004226145.tif 000003
【図３】
0004226145.tif 000004
【図４】
0004226145.tif 000005
【図５】
0004226145.tif 000006
【図６】
0004226145.tif 000007
【図７】
0004226145.tif 000008
【図８】
0004226145.tif 000009
【図９】
0004226145.tif 000010